(57)【要約】【課題】圧縮袋が使用不可になっても、保形性を有する底板を繰り返し使用することができる収納容器を提供する。【解決手段】この収納容器１は、矩形の底面３ａ及び天井面３ｂとその間の４側面３ｃ、３ｄ、３ｅ、３ｆとを有し軟質シート材で形成された収納袋３と、内部空気を排出して圧縮した状態で前記収納袋３の内部に収納されるもので、前記収納袋３の底面３ａに対応する形状・大きさの底部１０を有するとともにその底部１０が保形性を有する底板９ｃとその底板９ｃが取付けられる底板取付部７とを備える圧縮袋５とを具備し、前記底板９ｃが前記底板取付部７に対して着脱可能になっている。【選択図】図１
2010202236.tif 000002
【特許請求の範囲】
【請求項１】
矩形の底面及び天井面とその間の４側面とを有し軟質シート材で形成された収納袋と、
内部空気を排出して圧縮した状態で前記収納袋の内部に収納されるもので、前記収納袋の底面に対応する形状・大きさの底部を有するとともにその底部が保形性を有する底板とその底板が取付けられる底板取付部とを備える圧縮袋とを具備し、
前記底板が前記底板取付部に対して着脱可能になっていることを特徴とする収納容器。
【請求項２】
請求項１に記載の収納容器において、
前記収納袋の前記４側面のそれぞれは、前記軟質シート材に加えて保形性を有する側板を備え、また前記天井面は前記軟質シート材に加えて保形性を有する天井板を備えることを特徴とする収納容器。
【請求項３】
請求項２に記載の収納容器において、
前記天井面は、前記軟質シート材及び前記天井板に加えてクッション材を更に備えることを特徴とする収納容器。
【請求項４】
請求項１乃至３のいずれか１つに記載の収納容器において、
前記底板取付部が、２枚のシートを重ねるとともに辺部のうちの互いに対向する２つの辺部のそれぞれにおける２枚のシートの端部どうしを連結した構成となっていることを特徴とする収納容器。
【請求項５】
請求項１乃至３のいずれか１つに記載の収納容器において、
前記底板取付部が、１枚の第１シートに対し、前記第１シートと同じ幅で長さが短い複数枚の第２シートを、第２シートどうしの間をあけて重ねるとともに、第１シートと各第２シートとが幅方向の両辺部におけるシートの端部どうしを連結した構成となっていることを特徴とする収納容器。
【請求項６】
請求項１乃至５のいずれか１つに記載の収納容器において、
収納袋の内側に、圧縮袋を固定するための紐状部材が設けられていることを特徴とする収納容器。
【発明の詳細な説明】
【技術分野】
【０００１】
本発明は、衣類や布団などを収納するための収納容器に関し、特に、内部に衣類や布団などを入れた後に内部空気を排出して圧縮した状態にされる圧縮袋と、その圧縮袋が更に内部に収納される収納袋とを具備する収納容器に関する。
【背景技術】
【０００２】
従来から、収納容器として、内部空気を排出して圧縮した状態で用いられるものが知られている。その収納容器は、所謂圧縮袋と称されている。
【０００３】
しかしながら、上記圧縮袋は、単なる袋状となっていて、内部空気を排出して圧縮した状態にすると、内部に収納する収納物の形状に応じた形になるため、上下方向に重ねて積み上げた場合に安定性が悪く、崩れ落ちる虞があった。
【０００４】
そこで、圧縮袋の他に収納箱を用い、収納箱に圧縮袋を入れ、収納箱の状態にして積み重ねることが考えられる（例えば特許文献１等参照）。
【先行技術文献】
【特許文献】
【０００５】
【特許文献１】実用新案登録第３１０２２４１号
【発明の概要】
【発明が解決しようとする課題】
【０００６】
ところで、上記特許文献１における収納容器は、使用しないときにコンパクトとなるよう対向する２側面を折り曲げることで折り畳むことが可能な収納箱を用いていて、使用に際して前記２側面を真っ直ぐに伸ばして所定の形に広げた収納箱の中に、硬質の底板で構成された底部を有する圧縮袋を入れ、その硬質の底板により収納箱が折り畳み状態に戻らないようにしている。したがって、収納箱の中に入れた硬質の底板は、折り畳み可能な収納箱の軟質な底面に重ねて配することで、収納箱の保形性を有する底面としても機能し、これにより積み重ねが可能となっている。
【０００７】
しかしながら、特許文献１における硬質の底板は、圧縮袋の底部に固着されているので、圧縮袋が使用不可になると収納箱の底面として機能する保形性を有する底板も廃棄されてしまい、資源を有効利用することができないでいた。
【０００８】
本発明は、このような従来技術の課題を解決するためになされたものであり、圧縮袋が使用不可になっても、保形性を有する底板を繰り返し使用することができる収納容器を提供することを目的とする。
【課題を解決するための手段】
【０００９】
本発明の請求項１に係る収納容器は、矩形の底面及び天井面とその間の４側面とを有し軟質シート材で形成された収納袋と、内部空気を排出して圧縮した状態で前記収納袋の内部に収納されるもので、前記収納袋の底面に対応する形状・大きさの底部を有するとともにその底部が保形性を有する底板とその底板が取付けられる底板取付部とを備える圧縮袋とを具備し、前記底板が前記底板取付部に対して着脱可能になっていることを特徴とする。
【００１０】
本発明の請求項２に係る収納容器は、請求項１に記載の収納容器において、前記収納袋の前記４側面のそれぞれは、前記軟質シート材に加えて保形性を有する側板を備え、また前記天井面は前記軟質シート材に加えて保形性を有する天井板を備えることを特徴とする。
【００１１】
本発明の請求項３に係る収納容器は、請求項２に記載の収納容器において、前記天井面は、前記軟質シート材及び前記天井板に加えてクッション材を更に備えることを特徴とする。
【００１２】
本発明の請求項４に係る収納容器は、請求項１乃至３のいずれか１つに記載の収納容器において、前記底板取付部が、２枚のシートを重ねるとともに辺部のうちの互いに対向する２つの辺部のそれぞれにおける２枚のシートの端部どうしを連結した構成となっていることを特徴とする。
【００１３】
本発明の請求項５に係る収納容器は、請求項１乃至３のいずれか１つに記載の収納容器において、前記底板取付部が、１枚の第１シートに対し、前記第１シートと同じ幅で長さが短い複数枚の第２シートを、第２シートどうしの間をあけて重ねるとともに、第１シートと各第２シートとが幅方向の両辺部におけるシートの端部どうしを連結した構成となっていることを特徴とする。
【００１４】
本発明の請求項６に係る収納容器は、請求項１乃至５のいずれか１つに記載の収納容器において、収納袋の内側に、圧縮袋を固定するための紐状部材が設けられていることを特徴とする。
【発明の効果】
【００１５】
本発明による場合には、圧縮袋に設けられた底部が、保形性を有する底板とその底板が取付けられる底板取付部とを備える構成であるので、圧縮袋が使用不可になっても、新しい圧縮袋の底板取付部に対して保形性を有する底板を入れ換えることで、底板を繰り返し使用することができる。
【００１６】
ここで、収納袋を構成する軟質シート材は、合成樹脂や布類等からなる変形自在なシート材が該当する。また、保形性を有する底板は、変形し難く形を保持し易い硬い材質のものが用いられ、例えば硬質の紙、硬質の合成樹脂、または木材、または金属などや、これら硬質の紙、硬質の合成樹脂、木材または金属等の外側を織布や不織布などで覆ったもの等が該当する。前記木材としては、ＭＤＦ等の木質ボード、合板などが含まれる。
【００１７】
請求項２による場合には、収納袋の底板だけでなく、収納袋の側面と天井面が保形性を有するものを備えるので、収納容器を積み重ねても傾き難くすることができる。
【００１８】
請求項３による場合には、クッション材を備えるので、収納容器の上に人が座ること、つまり収納容器を椅子のように使用することが可能になる。ここで、クッション材として、例えばウレタンフォームなどを用いることができる。
【００１９】
請求項４による場合には、連結された対向する２つの辺部の間が底板取付部として形成されていて、その底板取付部の内部に保形性を有する底板を入れると取付けることができ、逆に出すと外すことができるので、簡単に取付け取外しができる。ここで、連結の形態としては、各辺部の全長にわたって連続的に連結しても或いは不連続的に連結してもよい。
【００２０】
請求項５による場合には、第１シートの面積に対し、第２シートの合計面積が小さいので、底板取付部の材料コストの低廉化が可能となる。連結の形態は、前記と同様である。
【００２１】
請求項６による場合には、圧縮袋が収納袋に対して移動しないように紐状部材により圧縮袋を固定することができる。
【００２２】
ここで、紐状部材としては、２本の紐の端部を結ぶ方式のもの或いはバックルを介して連結する方式のものなどが該当する。
【図面の簡単な説明】
【００２３】
【図１】本発明の一実施形態に係る収納容器を示す分解斜視図である。
【図２】（ａ）は図１のＡ−Ａ'線による端面図、（ｂ）は図１のＢ−Ｂ'線による端面図である。
【図３】（ａ）は圧縮袋を一方のシート材側から見た図で、（ｂ）は（ａ）の右側面図である。
【図４】圧縮袋の上端部に設けたチャックを示す図である。
【図５】図１及び図３（ａ）に示す圧縮袋を膨らませた状態を示す斜視図である。
【図６】図１の収納容器における一使用例の説明図である。
【図７】本発明の他の実施形態に係る収納容器を構成する収納袋を示す外観斜視図である。
【図８】図７の収納袋に用いる保形性を有する板材の展開図である。
【図９】本発明の更に他の実施形態に係る収納容器を構成する収納袋を示す外観斜視図である。
【図１０】本発明の更に他の実施形態に係る収納容器を構成する圧縮袋を示す外観斜視図である。
【発明を実施するための形態】
【００２４】
以下に、本発明を具体的に説明する。
【００２５】
図１は本発明の一実施形態に係る収納容器を示す分解斜視図であり、図２（ａ）は図１のＡ−Ａ'線による端面図、同（ｂ）は図１のＢ−Ｂ'線による端面図である。
【００２６】
この収納容器１は、収納袋３と、この収納袋３の内部に収納される圧縮袋５とを具備する。収納袋３は、矩形（図示例では長方形）の底面３ａと、同じく矩形（図示例では長方形）の天井面３ｂと、底面３ａと天井面３ｂの間の４側面３ｃ、３ｄ、３ｅ、３ｆとを有し、軟質シート材で形成されている。なお、本実施形態では、隣り合う２側面３ｃ、３ｄは、内部を視認できるように透明なシート材が用いられている。
【００２７】
また、３つの側面３ｆ、３ｃ、３ｄと、これら側面に対応する天井面３ｂの辺との間には、１本のファスナー３ｇが開閉可能に取付けられている。このファスナー３ｇは、２つのスライダーにより開け閉めできるものが使用されている。
【００２８】
また、収納容器１の内部には、４本の紐４ａ、４ｂ、４ｃ、４ｄが設けられている。紐４ａ、４ｃの基端部は長辺側の側面３ｃに取付けられ、紐４ｂ、４ｄの基端部は側面３ｃと対向する側面３ｅに取付けられている。紐４ａと紐４ｂの先端に設けたバックル４ｅ、４ｆを繋ぐと紐４ａと紐４ｂが連結され、紐４ｃと紐４ｄの先端に設けたバックル４ｇ、４ｈを繋ぐと紐４ｃと紐４ｄが連結される。この連結により、互いに繋がった紐４ａ及び紐４ｂと互いに繋がった紐４ｃ及び紐４ｄとは平行になる。或いは、紐４ａと紐４ｄの先端に設けたバックル４ｅ、４ｈを繋ぐと紐４ａと紐４ｄが連結され、紐４ｂと紐４ｃの先端に設けたバックル４ｆ、４ｇを繋ぐと紐４ｂと紐４ｃが連結される。この連結により、互いに繋がった紐４ａ及び紐４ｄと互いに繋がった紐４ｂ及び紐４ｃとはクロス状になる。上記紐４ａ〜４ｄ及びバックル４ｅ〜４ｈは紐状部材を構成する。なお、紐状部材としては、バックル４ｅ〜４ｈを省略し、紐４ａ〜４ｄを直接的に結ぶ方式であってもよい。
【００２９】
なお、紐４ａ〜４ｄの各基端部は、前記底面３ａに取付けるようにしてもよい。また、紐４ａ〜４ｄの各基端部と対応する側面３ｃ〜３ｆとの取付け部は、側面３ｃ〜３ｆと同じ材料或いは別の材料の小片を取付け部に重ねるようにし、取付け強度を向上させるようにするのが好ましい。更に、紐の本数は、偶数であれば何本であってもよい。
【００３０】
圧縮袋５は、全体が二重に重なった圧縮袋本体５ａと、圧縮袋本体５ａの底面５ｂの中央域を下側から覆う底面覆材５ｃと、圧縮袋本体５ａの側面に設けた公知の排気栓５ｄとを有する。圧縮袋本体５ａは、本実施形態では３枚の透明な合成樹脂製シート材５ａ１、５ａ２、５ａ３を用いて形成されている。図１において、２枚のシート材５ａ１、５ａ２の下側を互いに逆方向に折り曲げた状態に表しているのは、圧縮袋５の構成を分かり易くするためであり、シート材５ａ１、５ａ２の上端を持った状態を表すと、図３に示すようにシート材５ａ１、５ａ２の下側は重力によって垂れ下がるようになる。換言すると、この圧縮袋５は、任意の形状に折り畳むことができるものである。なお、図３（ａ）は圧縮袋５をシート材５ａ１側から見た図で、図３（ｂ）は図３（ａ）の右側面図である。
【００３１】
次に、図１を参照しつつ圧縮袋本体５ａの形成内容を説明する。
【００３２】
まず、２枚のシート材５ａ１、５ａ２の上側を重ねるとともに、下側を互いに逆方向に折り曲げ、各シート材の下側部分に、前記底面５ｂを構成する残りのシート材５ａ３を重ね、２枚のシート材５ａ１、５ａ２の上端を除き、シート材５ａ１、５ａ２の重なった部分の２つの端部６ａ、６ｂと、シート材５ａ１、５ａ３の重なった部分の３つの端部６ｃ、６ｄ、６ｅと、シート材５ａ２、５ａ３の重なった部分の３つの端部６ｆ、６ｇ、６ｈとを、熱溶着により接合し、かつ端部６ａの下端から２端部６ｄ、６ｇの途中まで、端部６ｂの下端から２端部６ｄ、６ｇの途中までに対して熱溶着により接合している。ここで、端部６ａの下端から２端部６ｄ、６ｇの途中までの熱溶着による接合部を６ｉ、６ｊと呼び、端部６ｂの下端から２端部６ｄ、６ｇの途中までの熱溶着による接合部を６ｋ、６ｍと呼ぶ。
【００３３】
加えて、２枚のシート材５ａ１、５ａ２の上端部には、直線状の凸部と、この凸部が嵌着する凹溝とを共に有する２つのチャック５ｅ、５ｆが設けられている。チャック５ｅは、図４に示すようにシート材５ａ１に凸部、シート材５ａ２に凹溝が存在するように、チャック５ｆは逆にシート材５ａ１に凹溝、シート材５ａ２に凸部が存在するように形成されている。
【００３４】
これら２つのチャック５ｅ、５ｆを開け、図５に示すようにシート材５ａ１、５ａ２の上端部を広げると、圧縮袋本体５ａの内部に衣類や布団などを収納することができる。そして、両チャック５ｅ、５ｆを閉め、例えば掃除機により排気栓５ｄから圧縮袋本体５ａの内部空気を排気することで、衣類や布団などを小さく圧縮した状態にするように構成されている。
【００３５】
上記シート材５ａ３の下側には、シート材５ａ３（底面５ｂ）を覆うように別の透明な前記底面覆材５ｃとしての合成樹脂製シート材５ａ４が設けられている。このシート材５ａ４は、シート材５ａ３と同じ幅寸法ではあるが、長さ寸法としては約半分程度しかなく、シート材５ａ３の長手方向の中央部に配置されていて、シート材５ａ４とシート材５ａ３における前記側面６ｄ、６ｇの箇所が熱溶着により接合されている。このシート材５ａ４とシート材５ａ３とは、偏平の筒状となっていて、その内部が底板取付部７として機能する。底板取付部７の長さＬ１は収納袋３の長さＬ２にほぼ等しく、底板取付部７の幅Ｗ１は収納袋３の幅Ｗ２にほぼ等しく設定されている。
【００３６】
上記底板取付部７の内部には、保形部材９が着脱可能に設けられる。保形部材９は、保形性を有する材料、例えば硬質の紙の外側を織布や不織布等の布で覆って形成されていて、長手方向の両端部に、前記側面３ｆ、３ｄに保形性を付与する側板９ａ、９ｂを有し、同じく長手方向の中央部に、前記底面３ａに保形性を付与する底板９ｃを、前記側板９ａ、９ｂと一体的に有する。この底板９ｃと、これが取付けられる底板取付部７とは、圧縮袋５の底部１０を構成する。なお、保形部材９の材料としては、外側が布で覆われていない硬質の紙そのものを用いることや、或いは硬質の合成樹脂、または木材、または金属など、或いはこれら硬質の合成樹脂、木材、金属などの外側を織布や不織布等で覆ったものなどを用いることができる。また、前記木材としては、ＭＤＦ等の木質ボード、合板などが含まれる。
【００３７】
保形部材９の幅Ｗ３は底板取付部７の幅Ｗ１及び収納袋３の幅Ｗ２にほぼ等しく、底板９ｃの長さＬ３は底板取付部７の長さＬ１及び収納袋３の長さＬ２にほぼ等しく設定されている。よって、保形部材９が底板取付部７の内部に挿入可能になっていて、底板９ｃが底板取付部７の内部に丁度入るようにすることができる。このとき、側板９ａ、９ｂは、底板取付部７からはみ出ることになる。これら側板９ａ、９ｂの長さＬ４は、収納袋３の側面３ｃ〜３ｆの高さＨ１とほぼ同一寸法に設定されている。
【００３８】
圧縮袋５は、圧縮袋本体５ａの内部空気を排気して圧縮袋本体５ａの内部に収納した衣類や布団などが小さく圧縮された状態にされ、かつ底板９ｃが底板取付部７の内部に丁度入った状態で、収納袋３の内部に収納される。そして、この収納に際して、底板９ｃは収納袋３の底面３ａに対し、丁度同じ形状・大きさで対面し、かつ、底板取付部７からはみ出した側板９ａ、９ｂは上方に向くように折り曲げられる。上記側板９ａ、９ｂは、収納袋３の側面３ｆ、３ｄが変形し難くなるように側面３ｆ、３ｄに保形性を付与する。なお、図３（ａ）及び図５に示すように、圧縮袋５において、底板９ｃの入る底板取付部７を構成するシート材５ａ４が設けられた箇所は底面Ｃとして機能し、前記接合部６ｉ〜６ｍが形成された箇所は、圧縮袋５の内部を膨らませた状態において、底面Ｃに繋がる側面下部を構成する襠部Ｄとして機能するようになっている。
【００３９】
次に、このように構成された本実施形態に係る収納容器１の一使用例を図６に基づき説明する。
【００４０】
まず、圧縮袋５の底板取付部７に保形部材９を挿入し、側板９ａ、９ｂを上方に向くように折り曲げた状態で、圧縮袋５を収納袋３の内部に挿入する（図６（ａ）参照）。続いて、圧縮袋５の内部に布団１２などを入れ（図６（ｂ）参照）、チャック５ｅ、５ｆを閉じる（図６（ｃ）参照）。その後、掃除機１４により排気栓５ｄから排気し（図６（ｄ）参照）、圧縮が終了すると、バックル４ｅ、４ｆを繋いで紐４ａと紐４ｂを連結し、バックル４ｇ、４ｈを繋いで紐４ｃと紐４ｄを連結する（図６（ｅ）参照）。最後に、ファスナー３ｇを閉じる（図６（ｆ）参照）。
【００４１】
したがって、この収納容器１にあっては、圧縮袋５に設けられた底部１０が、保形性を有する底板９ｃとその底板９ｃが取付けられる底板取付部７とを備える構成であるので、圧縮袋５が使用不可になっても、新しい圧縮袋５の底板取付部７に対して保形性を有する底板９ｃを入れ換えることで、底板９ｃを繰り返し使用することができる。
【００４２】
また、本実施形態では、保形性を有する底板９ｃに加えて、収納袋３の側面３ｆ、３ｄを変形し難くする、保形性を有する側板９ａ、９ｂを備える構成となっているので、収納容器１を積み重ねても傾き難くすることができる。但し、多少は傾くことになるものの、底板９ｃを残し側板９ａ、９ｂを省略しても、同様の効果が得られることは勿論である。
【００４３】
図７は本発明の他の実施形態に係る収納容器を構成する収納袋を示す外観斜視図であり、図８はその収納袋に用いる保形性を有する板材の展開図である。なお、図１と同一部分には同一の符号を付している。
【００４４】
この収納袋１３は、図１に示した収納袋３を構成する軟質シート材の内表面側に、保形性を有する板材１４が配設された構成となっている。具体的には、収納袋１３は、矩形（図示例では長方形）の底面３ａ' と、同じく矩形（図示例では長方形）の天井面３ｂ' と、底面３ａ' と天井面３ｂ' の間の４側面３ｃ' 、３ｄ' 、３ｅ' 、３ｆ' とを有する。底面３ａ' は軟質シート材からなり、４側面３ｃ' 、３ｄ' 、３ｅ' 、３ｆ' のそれぞれと天井面３ｂ' とは、軟質シート材と板材１４とからなる。板材１４は、４側面３ｃ' 、３ｄ' 、３ｅ' 、３ｆ' のそれぞれに対応する側板３ｃ−１、３ｄ−１、３ｅ−１、３ｆ−１を有し、かつ天井面３ｂ' に対応する天井板３ｂ−１を有する。この板材１４は、破線の箇所を谷折りし、重ね代３ｈ−１を側板３ｆ−１に重ねて接続された状態となっていて、その状態の外側に軟質シート材が設けられている。
【００４５】
この構成にあっては、収納袋１３の底面３ａ' が、圧縮袋５に設けられた底部１０を構成する保形性を有する底板９ｃにより保形され、かつ４側面３ｃ' 、３ｄ' 、３ｅ' 、３ｆ' 及び天井面３ｂ' が板材１４により保形されるので、収納袋１３の６面全てが保形性を有するものとなり、収納容器１を積み重ねても傾き難くすることができる。
【００４６】
なお、この板材１４の内側にも軟質シート材を貼着等により設けるようにしてもよい。また、板材１４は、側板３ｃ−１、３ｄ−１、３ｅ−１、３ｆ−１と、天井板３ｂ−１との５つの面を切り離さずに、連続した状態で用いることが、保形性を高める上で好ましい。但し、保形性を維持することが可能な範囲で、切り離して用いるようにしてもよい。
【００４７】
図９は、本発明の更に他の実施形態に係る収納容器を構成する収納袋を示す外観斜視図である。
【００４８】
この収納袋１３' は、前述した保形性を有する天井板３ｂ−１で天井面３ｂ' を形成することに加えて、その天井面３ｂ' の上にクッション材３ｉが取付けられた構成となっている。上記クッション材３ｉは、天井板３ｂ−１の上に軟質シート材が重ねられて構成される天井面３ｂ' の上に配設されていて、その材質としては、例えばウレタンフォームなどが用いられる。
【００４９】
この収納袋１３' による場合には、図７の収納袋による場合の効果に加えて、収納容器１の上に人が座ること、つまり収納容器１を椅子のように使用することが可能になる。なお、クッション材３ｉは、天井面３ｂ'を構成する軟質シート材と天井板３ｂ−１との間に設けてもよい。
【００５０】
図１０は、本発明の更に他の実施形態に係る収納容器を構成する圧縮袋を示す外観斜視図である。
【００５１】
この圧縮袋１５は、第１シートとしてのシート材５ａ３に対し、シート材５ａ３と同じ幅で長さが短い複数枚（図示例では２枚）の第２シートとしてのシート材５ａ５を重ねている。より詳細には、２つのシート材５ａ５どうしの間をあけて重ねるとともに、シート材５ａ３と各シート材５ａ５とが幅方向の両辺部を連結した構成となっている。なお、図１０中の１９は、保形性を有する底板９ｃのみを有する保形部材であり、この保形部材１９の長さ方向（Ｌ３の方向）の両端がシート材５ａ３と各シート材５ａ５との間で保持される。
【００５２】
この構成にあっては、シート材５ａ３（第１シート）の面積に対し、２つのシート材５ａ５（第２シート）の合計面積が小さいので、底板取付部７の材料コストの低廉化が可能となる。なお、第２シートとしてのシート材５ａ５は、３枚以上にしてもよい。
【００５３】
なお、上述した実施形態では底板取付部７の形成に際し、シート材５ａ３とシート材５ａ４（シート材５ａ５）との幅方向の２辺部をそれぞれ連続的な熱溶着により接合しているが、本発明はこれに限らず、前記幅方向の２辺部を部分的に接合するようにしても構わない。また、本発明は、ほぼ同じ大きさ・形状であるシート材５ａ３とシート材５ａ４を接合する場合には、前記幅方向の２辺部に代えて、幅方向と直交する長手方向の２辺部を部分的に或いは連続的に接合するようにしてもよく、或いは、図１０に示すように底板９ｃのみを有する保形部材１９を用いる場合には、幅方向の２辺部に加えて長手方向の２辺部を部分的に或いは連続的に接合し、保形部材１９を取出すときは底板取付部７を構成するシート材５ａ３及びシート材５ａ４を破るようにしてもよい。
【００５４】
更に、上述した実施形態では接合に熱溶着を用いているが、本発明はこれに限らず、熱溶着以外の手法、例えば接着等を用いることも可能である。
【符号の説明】
【００５５】
１    収納容器
３    収納袋
３ａ    底面
３ｂ    天井面
３ｃ、３ｄ、３ｅ、３ｆ    側面
３ｉ    クッション材
３ｃ−１、３ｄ−１、３ｅ−１、３ｆ−１    側板
３ｂ−１    天井板
４ａ、４ｂ、４ｃ、４ｄ    紐
５    圧縮袋
５ｂ    底面
５ｃ    底面覆材
７    底板取付部
９    保形部材
９ａ、９ｂ    側板
９ｃ    底板
１０    底部
１３    収納袋
１３'    収納袋
１４    板材
１５    圧縮袋
【図１】
2010202236.tif 000003
【図２】
2010202236.tif 000004
【図３】
2010202236.tif 000005
【図４】
2010202236.tif 000006
【図５】
2010202236.tif 000007
【図６】
2010202236.tif 000008
【図７】
2010202236.tif 000009
【図８】
2010202236.tif 000010
【図９】
2010202236.tif 000011
【図１０】
2010202236.tif 000012